(57)【特許請求の範囲】
【請求項１】
正面に映像を表示する表示ユニットと、該表示ユニットを背面側から覆う箱形の覆い体と、該覆い体の底板外面に取り付けられる部材を前記底板の内面側から支える支持部材とを備える表示装置において、
前記底板の内面に設けてあり、一側に開口する嵌め込み口から嵌め込まれる前記支持部材を保持する保持部と、
前記支持部材と前記底板との対向部に設けてあり、前記嵌め込み口からの前記支持部材の抜け出しを防止する抜け止め部とを備え、
前記保持部は、前記嵌め込み口に対向する面に開口部を有しており、
前記支持部材は、
前記開口部から突出し、被保持部から延設された延設部を有し、
該延設部に前記抜け止め部が設けてあることを特徴とする表示装置。
【請求項２】
前記保持部は、
前記覆い体の底板の内面に対向する面から垂設され、前記覆い体の底板の内面との間に前記延設部を挟む衝立
を備えることを特徴とする請求項１に記載の表示装置。
【請求項３】
前記保持部は、
前記覆い体の底板の内面に対向する面に、前記嵌め込み口に対して垂直方向に延びる一辺を開口する開口部を備え、
前記抜け止め部は、前記一辺に突設されていることを特徴とする請求項１に記載の表示装置。
【請求項４】
前記保持部は、
前記底板の内面に対向する面に、前記嵌め込み口に対して垂直方向に延びる一辺を開口する開口部を備え、
前記支持部材は、
前記開口部に対応する位置に設けられた嵌合凹部を備え、
該嵌合凹部は、
前記底板の内面に対向する面の開口部側の縁に嵌合することを特徴とする請求項３に記載の表示装置。
【請求項５】
前記支持部材は、
前記覆い体及び表示ユニットに固定するための貫通孔が設けられていることを特徴とする請求項３又は請求項４に記載の表示装置。
【請求項６】
請求項１から請求項５のいずれか１つに記載の表示装置と、
テレビジョン放送を受信する受信部とを備え、
前記受信部で受信したテレビジョン放送に基づいて前記表示ユニットに映像を表示するようにしてあることを特徴とするテレビジョン受信機。
【発明の詳細な説明】
【技術分野】
【０００１】
本発明は、リアキャビネットの外面に部材の取り付けを可能とした表示装置等に関する。
【背景技術】
【０００２】
薄型の表示装置は、限られた室内空間を有効に利用することができることから、一般に広く普及している。この種の表示装置の一つとして、液晶パネルを表示パネルとして備える液晶表示装置がある。液晶表示装置は、正面に映像を表示する液晶パネルと、該液晶パネルの背面に光を照射するバックライトと、液晶パネルの周縁部を正面側から覆うフロントキャビネットとを一体に組み付けてなる表示ユニットを、箱型のリアキャビネット（覆い体）で背面から覆うことで構成されている。
【０００３】
この種の表示装置は、ＶＥＳＡ（Video Electronics Standards Association）規格に対応する壁掛け金具等の部材をリアキャビネットの底板の外面に取り付け、壁掛け金具により壁面に支持する場合がある（例えば特許文献１）。
【０００４】
また、特許文献２には、リアキャビネットの背面側に取り付けられたベース金具にＵの字型の構造部分を有する支持部材を嵌挿し、一本のネジで固定する壁掛け機構が記載されている。
【先行技術文献】
【特許文献】
【０００５】
【特許文献１】特開２０００−３３３１００号公報
【特許文献２】特開２０１４−１９２６３４号公報
【発明の概要】
【発明が解決しようとする課題】
【０００６】
しかし、特許文献１に記載の表示装置は、支持部材をリアキャビネットにネジにより取り付けるため、支持部材の取り付け工程が多くなるという問題があった。また、特許文献２に記載の壁掛け機構は、支持部材をリアキャビネットに取り付ける際、特許文献１に記載の表示装置よりネジの量を減らして取り付け工程の削減を行っているが、取り付け工程の削減が不十分であった。
【０００７】
本発明は斯かる事情に鑑みてなされたものであり、従来より取り付け工程を削減することができる表示装置等を提供することを目的とする。
【課題を解決するための手段】
【０００８】
本発明に係る表示装置は、正面に映像を表示する表示ユニットと、該表示ユニットを背面側から覆う箱形の覆い体と、該覆い体の底板外面に取り付けられる部材を前記底板の内面側から支える支持部材とを備える表示装置において、前記底板の内面に設けてあり、一側に開口する嵌め込み口から嵌め込まれる前記支持部材を保持する保持部と、前記支持部材と前記底板との対向部に設けてあり、前記嵌め込み口からの前記支持部材の抜け出しを防止する抜け止め部とを備え、前記保持部は、前記嵌め込み口に対向する面に開口部を有しており、前記支持部材は、前記開口部から突出し、被保持部から延設された延設部を有し、該延設部に前記抜け止め部が設けてあることを特徴とする。
【００１０】
本発明に係る表示装置は、前記保持部は、前記覆い体の底板の内面に対向する面から垂設され、前記覆い体の底板の内面との間に前記延設部を挟む衝立を備えることを特徴とする。
【００１１】
本発明に係る表示装置は、前記保持部は、前記覆い体の底板の内面に対向する面に、前記嵌め込み口に対して垂直方向に延びる一辺を開口する開口部を備え、前記抜け止め部は、前記一辺に突設されていることを特徴とする。
【００１２】
本発明に係る表示装置は、前記保持部は、前記底板の内面に対向する面に、前記嵌め込み口に対して垂直方向に延びる一辺を開口する開口部を備え、前記支持部材は、前記開口部に対応する位置に設けられた嵌合凹部を備え、該嵌合凹部は、前記底板の内面に対向する面の開口部側の縁に嵌合することを特徴とする。
【００１３】
本発明に係る表示装置は、前記支持部材は、前記覆い体及び表示ユニットに固定するための貫通孔が設けられていることを特徴とする。
【００１４】
本発明に係るテレビジョン受信機は、上述の表示装置と、テレビジョン放送を受信する受信部とを備え、前記受信部で受信したテレビジョン放送に基づいて前記表示ユニットに映像を表示するようにしてあることを特徴とする。
【発明の効果】
【００１５】
本発明によれば、従来より取り付け工程を削減することができる。
【図面の簡単な説明】
【００１６】
【図１】表示装置の外観を略示する正面側斜視図である。
【図２】表示装置の外観を略示する背面側斜視図である。
【図３】表示装置の要部構成を示す分解斜視図である。
【図４】リアキャビネットの底板の内面を示す拡大斜視図である。
【図５】図４の反対側を示す保持部の拡大斜視図である。
【図６】ＶＥＳＡ規格対応金具等の壁掛け金具（部材）を底板の内面側から支える支持部材を示す拡大斜視図である。
【図７】リアキャビネットに取り付けた支持部材を示す拡大斜視図である。
【図８】リアキャビネットの要部を示す拡大斜視図である。
【図９】保持部及び突設部を示す拡大正面図である。
【図１０】支持部材を示す側面側斜視図である。
【図１１】支持部材を示す正面側斜視図である。
【図１２】リアキャビネットに取り付けた支持部材を示す拡大斜視図である。
【図１３】支持部材を示す側面側斜視図である。
【図１４】支持部材を示す正面側斜視図である。
【図１５】リアキャビネットに取り付けた支持部材を示す拡大斜視図である。
【発明を実施するための形態】
【００１７】
実施の形態１
以下、本発明をその実施の形態を示す図面に基づいて詳述する。以下の説明では各図中の上下左右を用いる。
【００１８】
図１は表示装置１の外観を略示する正面側斜視図である。図２は表示装置１の外観を略示する背面側斜視図である。図３は表示装置１の要部構成を示す分解斜視図である。表示装置１は、正面に映像を表示する表示ユニット２と、浅底箱型をなし、表示ユニット２を背面側から覆うリアキャビネット（覆い体）３とを備えている。表示ユニット２はフロントキャビネット２０、液晶パネル（表示パネル）２１、光学シート２２、ミドルキャビネット２３、反射シート２４及びバックライトシャーシ２５を備える。
【００１９】
さらに図示の表示装置１は、受信部２９０及び信号処理部２９１を備えるテレビジョン受信機として構成されている。受信部２９０は、図示しないアンテナに接続され、該アンテナを介してテレビジョン放送を受信する。信号処理部２９１は、受信部２９０が受信したテレビジョン放送に係るデータを復調し、復調したデータから映像データを分離し、分離した映像データを出力する。液晶パネル２１は、信号処理部２９１が出力した映像データに基づく映像を表示する。
【００２０】
液晶パネル２１は、矩形板状をなし、一面（正面）に画像を表示する表示面を有する。フロントキャビネット２０は、金属製の矩形枠体であり、図１に示す如く、液晶パネル２１の正面側に表示面の周囲を囲うように嵌め合わされる。
【００２１】
光学シート２２は、拡散シート、ＢＥＦ（Brightness Enhance Film ）シート及び偏光シート等を積層して構成されており、図３に示す如く、液晶パネル２１の背面側に対向配置される。
【００２２】
ミドルキャビネット２３は、樹脂製の矩形枠体であり、液晶パネル２１の外周を囲うように配置され、液晶パネル２１及び光学シート２２の周縁部を背面側から支持する。
【００２３】
バックライトシャーシ２５は、液晶パネル２１よりも若干大きく、ミドルキャビネット２３と同程度の大きさに形成された金属製の箱体である。バックライトシャーシ２５は短冊形をなす基板の一面に、複数のＬＥＤ（光源）５１を並べて配置し、ＬＥＤの実装面を開口側に向けて配置されている。
【００２４】
反射シート２４は、略矩形の皿状をなし、底板の内面に複数の開口４６、４６、・・・、４６を有し、これらは格子状に配置されている。開口４６、４６、・・・、４６はＬＥＤ５１、５１、・・・、５１に対応する位置に設けられている。
【００２５】
図４はリアキャビネット３の底板の内面を示す拡大斜視図である。リアキャビネット３は、底板の内面の中央部から左上、右上、右下及び左下に離隔した位置に設けられた４つの保持部３００と、保持部３００に覆われる底板に貫通した貫通孔３０９とを備える。図４に示す貫通孔３０９は図２に示すように正面側から背面側へ貫通している。図５は図４の反対側を示す保持部３００の拡大斜視図である。保持部３００は一側に開口する嵌め込み口３０１を備える箱型をなす。保持部３００は嵌め込み口３０１に対向する他面３０２の一部をリアキャビネット３の底板の内面側に沿って開放した開口部３０３と、リアキャビネット３の底板の内面に対向する対向面３０４からリアキャビネット３の底板の内面に向かって垂設された２つの衝立３０５とを備える。衝立３０５、３０５は嵌め込み口３０１及び他面３０２に直交して並設されている。
【００２６】
リアキャビネット３はさらに保持部３００の開口部３０３から右方向に離隔した位置に底板の内面上に並設された２つの位置決め凸部３０６と、底板の内面上において開口部３０３から右方向に位置決め凸部３０６と他面３０２との間の距離より短い距離離隔した位置に突設され、係止爪（抜け止め部）３０７とを備える。
【００２７】
図６はＶＥＳＡ規格対応金具等の壁掛け金具（部材）を底板の内面側から支える支持部材３１を示す拡大斜視図である。支持部材３１は側面視Ｕ字状をなす被保持部３１１を備える。被保持部３１１は矩形状の板部３１２と、板部３１２に直交する方向に連設する矩形状の連設部３１３と、連設部３１３に直交する方向に連設し、板部３１２に対向する矩形状の対向部３１４とを備える。板部３１２は一端部から延設された延設部３１５と、厚さ方向に貫通するネジ孔３１６とを備える。延設部３１５は板状であり、厚さ方向に貫通する係止孔３１７を備える。ネジ孔３１６は貫通孔３０９に対応している。係止孔３１７は係止爪３０７に対応している。
【００２８】
図７はリアキャビネット３に取り付けた支持部材３１を示す拡大斜視図である。支持部材３１をリアキャビネット３に取り付ける取り付け方法は以下の通りである。支持部材３１は、延設部３１５を嵌め込み口３０１から保持部３００に挿入し、衝立３０５と底部との間に延設部３１５を擦動挿入し、開口部３０３から延設部３１５を突出させ、突出させた延設部３１５の一端部を位置決め凸部３０６に当接し、支持部材３１と底板との対向部３１４に設けられている係止孔３１７及び係止爪３０７を係止させることにより嵌め込み口３０１からの支持部材３１の抜け出しを防止し、被保持部３１１を保持部３００に嵌めこみ、保持することでリアキャビネット３に取り付けられる。
【００２９】
表示装置１は反射シート２４の開口４６、４６、・・・、４６にバックライトシャーシ２５のＬＥＤ５１、５１、・・・、５１を臨むように載置し、バックライトシャーシ２５にミドルキャビネット２３を嵌めこみ、バックライトシャーシ２５に正面側から光学シート２２を載置し、光学シート２２に液晶パネル２１を載置し、液晶パネル２１の周縁にフロントキャビネット２０を嵌めこみ、貫通孔３０９及びネジ孔３１６を介してリアキャビネット３の正面側からネジを螺入することでＶＥＳＡ規格対応金具（図示せず）をリアキャビネット３の底板の外面に取り付け、バックライトシャーシ２５の背面をリアキャビネット３で覆うことにより構成される。上述した構成により、表示装置１は、ＬＥＤ５１から出射した光が光学シート２２を通過し、均一な平面光として液晶パネル２１に照射される。
【００３０】
本実施の形態によれば、支持部材３１は保持部３００に嵌めこみ、保持し、係止孔３１７に係止爪３０７を係止することでネジの数を従来より少なくしてリアキャビネット３に取り付けられるため、従来より取り付け工程を削減することができる。
【００３１】
本実施の形態によれば、支持部材３１は被保持部３１１を保持部３００に嵌めこみ、保持し、Ｕ字状をなすことで狭いスペースに収めることができるため、従来より小型化できる。また被保持部３１１を保持部３００に嵌めこみ、保持することで上下方向の移動を規制することができる。
【００３２】
本実施の形態によれば、支持部材３１は開口部３０３から延設部３１５を突出させ、係止孔３１７に係止爪３０７を係止することで上下左右方向の移動を規制することができる。
【００３３】
本実施の形態によれば、支持部材３１は衝立３０５と底部との間に延設部３１５を擦動挿入することで正背面方向の移動を規制することができる。
【００３４】
実施の形態２
図８はリアキャビネット３の要部を示す拡大斜視図である。以下、特に説明する構成、作用以外の構成及び作用は実施の形態１と同等であり、簡潔のため記載を省略する。リアキャビネット３は、底板の内面の中央部から左上、右上、右下及び左下に離隔した位置に設けられた４つの保持部３２と、保持部３２が覆う底板に貫通した貫通孔３０９と、保持部３２から上方向に離隔した位置に底板の内面に突設された突設部３３とを備える。
【００３５】
図９は保持部３２及び突設部３３を示す拡大正面図である。保持部３２は一側に開口する嵌め込み口３０１を備える箱型をなす。保持部３２は、底板の内面に対向する対向面３２２に嵌め込み口３２１に対して垂直方向に延びる一辺を開口する開口部３２３と、対向面３２２の開口部３２３側の縁の内、嵌め込み口３２１に直交する上縁３２５と、上縁３２５に上縁３２５に対して垂直方向に立設する係止爪（抜け止め部）３２４と、対向面３２２の開口部３２３側の縁の内、嵌め込み口３２１に対向する右縁３２６とを備える。突設部３３は開放側を背面側に向けた有底円筒状をなしており、底部３３０の中央部に上下方向に貫通する貫通孔３３１を備える。すなわち係止爪３２４は、開口部３２３の一辺に突設されている。
【００３６】
図１０は支持部材３４を示す側面側斜視図である。図１１は支持部材３４を示す正面側斜視図である。支持部材３４は一辺が開放された側面視略矩形状をなす被保持部３４１を備える。被保持部３４１は矩形状の板部３４２と、板部３４２に直交する方向に連設する矩形状の連設部３４３と、連設部３４３に直交する方向に連設し、板部３４２に対向する矩形状の対向部３４４と、対向部３４４に直交する方向に連設し、連設部３４３に対向する矩形状の連設部３４５とを備える。被保持部３４１は連設部３４５の一端部から延設された延設部３４６と、延設部３４６に直交する方向に連設する矩形状の固定部３４７とを備える。
【００３７】
対向部３４４は厚さ方向に貫通するネジ孔３４８を備える。固定部３４７は厚さ方向に貫通する貫通孔３４９を備える。連設部３４５は縁部を切除した嵌合凹部３５０と、嵌合凹部３５０に縁部から直交する方向に離隔した位置に厚さ方向に貫通する係止孔（抜け止め部）３５１とを備える。嵌合凹部３５０は上縁３２５に対応する。係止孔３５１は係止爪３２４に対応する。貫通孔３４９は貫通孔３３１に対応する。
【００３８】
図１２はリアキャビネット３に取り付けた支持部材３４を示す拡大斜視図である。支持部材３４をリアキャビネット３に取り付ける取り付け方法は以下の通りである。支持部材３４は、嵌合凹部３５０と開口部３２３との位置を合わせ、保持部３２の嵌め込み口３２１から被保持部３１１を挿入し、連設部３４５を開口部３２３に擦動挿入し、嵌合凹部３５０を右縁３２６に嵌合し、係止孔３５１に係止爪３２４を係止させることにより嵌め込み口３２１からの支持部材３４の抜け出しを防止し、被保持部３４１を保持部３２に嵌めこみ保持し、固定部３４７を底部３３０に当接し、貫通孔３４９と貫通孔３３１との位置を合わせることでリアキャビネット３に取り付けられる。
【００３９】
表示装置１は実施の形態１と同様の手順で組み立てた後、表示ユニット２の背面側からリアキャビネット３を覆い、貫通孔３４９及び貫通孔３３１を介して表示ユニット２に設けられたネジ孔（図示せず）にネジを螺入することで支持部材３４を表示ユニット２及びリアキャビネット３に固定し、貫通孔３０９及びネジ孔３４８を介してリアキャビネット３の正面側からネジを螺入することでＶＥＳＡ規格対応金具（図示せず）をリアキャビネット３の背面に取り付けることにより構成される。
【００４０】
本実施の形態によれば、支持部材３４は被保持部３４１を保持部３２に嵌めこみ保持し、略矩形状をなすことで狭いスペースに収めることができるため、従来より小型化できる。また被保持部３４１を保持部３２に嵌めこみ保持することで上下方向の移動を規制することができる。
【００４１】
本実施の形態によれば、支持部材３４は連設部３４５を開口部３２３に擦動挿入し、係止孔３５１に係止爪３２４を係止することで正背面方向及び上下左右方向の移動を規制することができる。
【００４２】
本実施の形態によれば、支持部材３４は嵌合凹部３５０を右縁３２６に嵌合することで上下方向の移動をさらに規制することができる。
【００４３】
本実施の形態によれば、貫通孔３４９及び貫通孔３３１を介して表示ユニット２に設けられたネジ孔にネジを螺入することで支持部材３４を表示ユニット２及びリアキャビネット３に固定する。このことにより、上下左右方向及び正背面方向の移動をさらに規制することができる。
【００４４】
実施の形態３
図１３は支持部材３４を示す側面側斜視図である。図１４は支持部材３４を示す正面側斜視図である。以下、特に説明する構成、作用以外の構成及び作用は実施の形態２と同等であり、簡潔のため記載を省略する。支持部材３４は連設部３４５の一端部に直交する方向に連設する矩形状の連設部３５２と、連設部３５２及び固定部３４７に直交する方向に連設する矩形状の連設部３５３とを備える。
【００４５】
図１５はリアキャビネット３に取り付けた支持部材３４を示す拡大斜視図である。支持部材３４をリアキャビネット３に取り付ける取り付け方法は以下の通りである。支持部材３４は、嵌合凹部３５０と開口部３２３との位置を合わせ、保持部３２の嵌め込み口３２１から被保持部３１１を挿入し、連設部３４５を開口部３２３に擦動挿入し、嵌合凹部３５０を右縁３２６に嵌合し、係止孔３５１に係止爪３２４を係止させることにより嵌め込み口３２１からの支持部材３４の抜け出しを防止し、被保持部３４１を保持部３２に嵌め込み保持し、固定部３４７を底部３３０に当接し、貫通孔３４９と貫通孔３３１との位置を合わせ、連設部３５３に突設部３３の外周を当接させることでリアキャビネット３に取り付けられる。
【００４６】
本実施の形態によれば、固定部３４７を底部３３０に当接することで上方向の移動をさらに規制することができる。
【００４７】
本発明に係る表示装置１は、正面に映像を表示する表示ユニット２と、該表示ユニット２を背面側から覆う箱形の覆い体３と、該覆い体３の底板外面に取り付けられる部材を前記底板の内面側から支える支持部材３１とを備える表示装置１において、前記底板の内面に設けてあり、一側に開口する嵌め込み口３０１から嵌め込まれる前記支持部材３１を保持する保持部３００と、前記支持部材３１と前記底板との対向部に設けてあり、前記嵌め込み口３０１からの前記支持部材３１の抜け出しを防止する抜け止め部３０７、３１７、３２４、３５１とを備えることを特徴とする。
【００４８】
本実施の形態によれば、支持部材３１は保持部３００に嵌めこみ、保持し、係止孔３１７に係止爪３０７を係止することでネジの数を従来より少なくしてリアキャビネット３に取り付けられるため、従来より取り付け工程を削減することができる。
【００４９】
本発明に係る表示装置１は、前記保持部３００は、前記嵌め込み口３０１に対向する面に開口部３０３を有し、前記支持部材３１は、前記開口部３０３から突出し、被保持部３１１から延設された延設部３１５を備え、該延設部３１５は、前記抜け止め部３１７を備えることを特徴とする。
【００５０】
本実施の形態によれば、支持部材３１は開口部３０３から延設部３１５を突出させ、係止孔３１７に係止爪３０７を係止することで上下左右方向の移動を規制することができる。
【００５１】
本発明に係る表示装置１は、前記保持部３００は、前記覆い体３の底板の内面に対向する面から垂設され、前記覆い体３の底板の内面との間に前記延設部３１５を挟む衝立３０５を備えることを特徴とする。
【００５２】
本実施の形態によれば、支持部材３１は衝立３０５と底部との間に延設部３１５を擦動挿入することで正背面方向の移動を規制することができる。
【００５３】
本発明に係る表示装置１は、前記保持部３２は、前記覆い体３の底板の内面に対向する面に、前記嵌め込み口３２１に対して垂直方向に延びる一辺を開口する開口部３２３を備え、前記抜け止め部３２４は、前記一辺に突設されていることを特徴とする。
【００５４】
本実施の形態によれば、支持部材３４は連設部３４５を開口部３２３に擦動挿入し、係止孔３５１に係止爪３２４を係止することで正背面方向及び上下左右方向の移動を規制することができる。
【００５５】
本発明に係る表示装置１は、前記保持部３２は、前記底板の内面に対向する面に、前記嵌め込み口３２１に対して垂直方向に延びる一辺を開口する開口部３２３を備え、前記支持部材３４は、前記開口部３２３に対応する位置に設けられた嵌合凹部３５０を備え、該嵌合凹部３５０は、前記底板の内面に対向する面の開口部３２３側の縁に嵌合することを特徴とする。
【００５６】
本実施の形態によれば、支持部材３４は嵌合凹部３５０を右縁３２６に嵌合することで上下方向の移動をさらに規制することができる。
【００５７】
本発明に係る表示装置１は、前記支持部材３４は、前記覆い体３及び表示ユニット２に固定するための貫通孔３４９が設けられていることを特徴とする。
【００５８】
本実施の形態によれば、貫通孔３４９及び貫通孔３３１を介して表示ユニット２に設けられたネジ孔にネジを螺入することで支持部材３４を表示ユニット２及びリアキャビネット３に固定する。このことにより、上下左右方向及び正背面方向の移動をさらに規制することができる。
【００５９】
本発明に係るテレビジョン受信機は、表示装置１と、テレビジョン放送を受信する受信部２９０とを備え、前記受信部２９０で受信したテレビジョン放送に基づいて前記表示ユニット２に映像を表示するようにしてあることを特徴とする。
【００６０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６１】
１  表示装置
２  表示ユニット
３  リアキャビネット（覆い体）
３１  支持部材
３００  保持部
３０１  嵌め込み口
３０２  他面
３０３  開口部
３０４  対向面
３０５  衝立
３０７  係止爪（抜け止め部）
３１６  ネジ孔
３１７  係止孔（抜け止め部）
３２１  嵌め込み口
３２２  対向面
３２３  開口部
３２４  係止爪（抜け止め部）
３２５  上縁
３４  支持部材
３４１  被保持部
３５０  嵌合凹部
３５１  係止孔（抜け止め部）
５１  ＬＥＤ（光源）
【図１】
0006472335.tif 000002
【図２】
0006472335.tif 000003
【図３】
0006472335.tif 000004
【図４】
0006472335.tif 000005
【図５】
0006472335.tif 000006
【図６】
0006472335.tif 000007
【図７】
0006472335.tif 000008
【図８】
0006472335.tif 000009
【図９】
0006472335.tif 000010
【図１０】
0006472335.tif 000011
【図１１】
0006472335.tif 000012
【図１２】
0006472335.tif 000013
【図１３】
0006472335.tif 000014
【図１４】
0006472335.tif 000015
【図１５】
0006472335.tif 000016